(57)【要約】【課題】  性能の低下を来たすことなく良好なサーボ特性を確保する。【解決手段】  移動ベース７に固定された固定ブロック９と、対物レンズ１６、１７と該対物レンズを保持するレンズホルダー１２とを有しフォーカス方向、トラッキング方向及びチルト方向へ動作される可動ブロック１０と、固定ブロックと可動ブロックを連結する複数の支持バネ２２、２２、・・・と、フォーカス用コイル１８とフォーカス用マグネット２４を有するフォーカス用磁気回路２７と、トラッキング用コイル１９、１９とトラッキング用マグネット２５、２５を有するトラッキング用磁気回路２８と、チルト用コイル２０、２０とチルト用マグネット２６を有するチルト用磁気回路２９とを設け、レンズホルダーに、対物レンズを保持する本体部１３と該本体部から突出され可動ブロックに生じる振動を吸収する動吸振手段として機能する薄肉部１４、１４とを設け、薄肉部にチルト用コイル又はチルト用マグネットを取り付けた。【選択図】        図３
2009070504.tif 000002
【特許請求の範囲】
【請求項１】
ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、
上記対物レンズ駆動装置は、
上記移動ベースに固定された固定ブロックと、
上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交する方向に延びる軸の軸回り方向であるチルト方向へ動作される可動ブロックと、
上記固定ブロックと上記可動ブロックを連結する複数の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットを有するトラッキング用磁気回路と、
上記可動ブロックを上記チルト方向へ動作させチルト用コイルとチルト用マグネットを有するチルト用磁気回路とを備え、
上記レンズホルダーに、上記対物レンズを保持する本体部と該本体部から突出され上記可動ブロックに生じる振動を吸収する動吸振手段として機能する薄肉部とを設け、
上記薄肉部に上記チルト用コイル又は上記チルト用マグネットを取り付けた
ことを特徴とする光ピックアップ。
【請求項２】
上記レンズホルダーの上記薄肉部に上記チルト用コイルを取り付け、
上記レンズホルダーの上記本体部に上記フォーカス用コイルと上記トラッキング用コイルを取り付け、
上記フォーカス用コイルと上記トラッキング用コイルを挟んだ反対側に上記対物レンズとチルト用コイルを配置した
ことを特徴とする請求項１に記載の光ピックアップ。
【請求項３】
ディスク状記録媒体が装着されるディスクテーブルと該ディスクテーブルに装着される上記ディスク状記録媒体に対して対物レンズを介してレーザー光を照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、
上記対物レンズ駆動装置は、
上記移動ベースに固定された固定ブロックと、
上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交する方向に延びる軸の軸回り方向であるチルト方向へ動作される可動ブロックと、
上記固定ブロックと上記可動ブロックを連結する複数の支持バネと、
上記可動ブロックを上記フォーカス方向へ動作させフォーカス用コイルとフォーカス用マグネットを有するフォーカス用磁気回路と、
上記可動ブロックを上記トラッキング方向へ動作させトラッキング用コイルとトラッキング用マグネットを有するトラッキング用磁気回路と、
上記可動ブロックを上記チルト方向へ動作させチルト用コイルとチルト用マグネットを有するチルト用磁気回路とを備え、
上記レンズホルダーに、上記対物レンズを保持する本体部と該本体部から突出され上記可動ブロックに生じる振動を吸収する動吸振手段として機能する薄肉部とを設け、
上記薄肉部に上記チルト用コイル又は上記チルト用マグネットを取り付けた
ことを特徴とするディスクドライブ装置。
【発明の詳細な説明】
【技術分野】
【０００１】
本発明は光ピックアップ及びディスクドライブ装置に関する。詳しくは、可動ブロックに動吸振手段として機能する薄肉部を設けて機能性の低下を来たすことなくフォーカス動作及びトラッキング動作時における良好なサーボ特性を確保する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置は、固定ブロックと該固定ブロックに金属製のワイヤー等の支持バネを介して支持された可動ブロックとを備えている。
【０００４】
光ピックアップにあっては、対物レンズを有する可動ブロックを固定ブロックに対してディスク状記録媒体の記録面に離接する方向であるフォーカス方向へ動作させてフォーカス調整を行うと共に可動ブロックを固定ブロックに対してディスク状記録媒体の略半径方向であるトラッキング方向へ動作させてトラッキング調整を行い、対物レンズを介してディスク状記録媒体に照射されるレーザー光のスポットがディスク状記録媒体の記録トラックに集光されるようにしている。
【０００５】
また、光ピックアップには、フォーカス方向及びトラッキング方向にともに直交する方向であるタンジェンシャル方向に延びる軸の軸回り方向へ可動ブロックを固定ブロックに対して動作させ、対物レンズを介してディスク状記録媒体の記録面に照射されるレーザー光の光軸が記録面に対して垂直となるようにチルト調整を行うことができるようにされたものがある。
【０００６】
このような光ピックアップに設けられた対物レンズ駆動装置は、可動部の重量や支持バネの弾性係数に基づいた周波数特性を有する（図５参照）。対物レンズ駆動装置にあっては、図５に示すように、特定の周波数領域において共振ピークＰが生じ、この共振ピークＰによってフォーカスサーボやトラッキングサーボの特性が悪化し、ディスクドライブ装置の動作の信頼性が低下するおそれがある。
【０００７】
このような共振ピークの発生によるフォーカスサーボやトラッキングサーボの特性の悪化を防止する光ピックアップとして、例えば、レンズホルダーに粘弾性を有する接着剤によってコイルを取り付け、該コイルをウエイトとするダンパーを構成したものがある（例えば、特許文献１参照）。
【０００８】
粘弾性を有する接着剤を用いてコイルをウエイトとするダンパーを構成することにより、レンズホルダーに発生する振動がダンパーによって吸収されて共振ピークが低減し、フォーカスサーボ及びトラッキングサーボの良好な特性が確保される。
【０００９】
【特許文献１】特開２００４―１７１６７９号公報
【発明の開示】
【発明が解決しようとする課題】
【００１０】
上記した特許文献１に記載された光ピックアップにあっては、粘弾性を有する接着剤を用いてダンパーを構成しているが、粘弾性を有する接着剤は耐熱性が低いと共に経時変化により物性が変化し易いため、高温下での使用や長期の使用においてダンパーとしての性能が低下し易いと言う問題がある。
【００１１】
また、粘弾性を有する接着剤からは揮発物が生じることがあり、対物レンズに対する揮発物の付着による光学性能の低下を生じるおそれがある。
【００１２】
そこで、本発明光ピックアップ及びディスクドライブ装置は、上記した問題点を克服し、性能の低下を来たすことなく良好なサーボ特性を確保することを課題とする。
【課題を解決するための手段】
【００１３】
光ピックアップ及びディスクドライブ装置は、上記した課題を解決するために、対物レンズ駆動装置に、移動ベースに固定された固定ブロックと、対物レンズと該対物レンズを保持するレンズホルダーとを有すると共に固定ブロックに対してディスク状記録媒体の記録面に離接する方向であるフォーカス方向、ディスク状記録媒体の略半径方向であるトラッキング方向及びフォーカス方向とトラッキング方向にともに直交する方向に延びる軸の軸回り方向であるチルト方向へ動作される可動ブロックと、固定ブロックと可動ブロックを連結する複数の支持バネと、可動ブロックをフォーカス方向へ動作させフォーカス用コイルとフォーカス用マグネットを有するフォーカス用磁気回路と、可動ブロックをトラッキング方向へ動作させトラッキング用コイルとトラッキング用マグネットを有するトラッキング用磁気回路と、可動ブロックをチルト方向へ動作させチルト用コイルとチルト用マグネットを有するチルト用磁気回路とを設け、レンズホルダーに、対物レンズを保持する本体部と該本体部から突出され可動ブロックに生じる振動を吸収する動吸振手段として機能する薄肉部とを設け、薄肉部にチルト用コイル又はチルト用マグネットを取り付けたものである。
【００１４】
従って、光ピックアップ及びディスクドライブ装置にあっては、レンズホルダーに発生した振動が動吸振手段として機能する薄肉部によって吸収される。
【発明の効果】
【００１５】
本発明光ピックアップは、ディスクテーブルに装着されるディスク状記録媒体の半径方向へ移動される移動ベースと該移動ベースに配置された対物レンズ駆動装置とを備えると共に上記ディスクテーブルに装着された上記ディスク状記録媒体に対してレーザー光を照射する光ピックアップであって、上記対物レンズ駆動装置は、上記移動ベースに固定された固定ブロックと、上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交する方向に延びる軸の軸回り方向であるチルト方向へ動作される可動ブロックと、上記固定ブロックと上記可動ブロックを連結する複数の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットを有するトラッキング用磁気回路と、上記可動ブロックを上記チルト方向へ動作させチルト用コイルとチルト用マグネットを有するチルト用磁気回路とを備え、上記レンズホルダーに、上記対物レンズを保持する本体部と該本体部から突出され上記可動ブロックに生じる振動を吸収する動吸振手段として機能する薄肉部とを設け、上記薄肉部に上記チルト用コイル又は上記チルト用マグネットを取り付けたことを特徴とする。
【００１６】
従って、粘弾性を有する接着剤を用いた従来の光ピックアップのように、高温下又は長期における使用や揮発物の発生による機能の低下を来たすことがなく、フォーカス動作及びトラッキング動作における良好なサーボ特性を確保することができる。
【００１７】
請求項２に記載した発明にあっては、上記レンズホルダーの上記薄肉部に上記チルト用コイルを取り付け、上記レンズホルダーの上記本体部に上記フォーカス用コイルと上記トラッキング用コイルを取り付け、上記フォーカス用コイルと上記トラッキング用コイルを挟んだ反対側に上記対物レンズとチルト用コイルを配置したので、チルト用コイルが対物レンズに対して遠方に位置され、チルト用コイルに発生する振動が対物レンズに伝達され難く、対物レンズにおける振動の発生を抑制することができる。
【００１８】
本発明ディスクドライブ装置は、ディスク状記録媒体が装着されるディスクテーブルと該ディスクテーブルに装着される上記ディスク状記録媒体に対して対物レンズを介してレーザー光を照射する光ピックアップとを備え、該光ピックアップは上記ディスクテーブルに装着される上記ディスク状記録媒体の半径方向へ移動される移動ベースと該移動ベースに配置された対物レンズ駆動装置とを有するディスクドライブ装置であって、上記対物レンズ駆動装置は、上記移動ベースに固定された固定ブロックと、上記対物レンズと該対物レンズを保持するレンズホルダーとを有すると共に上記固定ブロックに対して上記ディスク状記録媒体の記録面に離接する方向であるフォーカス方向、上記ディスク状記録媒体の略半径方向であるトラッキング方向及び上記フォーカス方向と上記トラッキング方向にともに直交する方向に延びる軸の軸回り方向であるチルト方向へ動作される可動ブロックと、上記固定ブロックと上記可動ブロックを連結する複数の支持バネと、上記可動ブロックを上記フォーカス方向へ動作させフォーカス用コイルとフォーカス用マグネットを有するフォーカス用磁気回路と、上記可動ブロックを上記トラッキング方向へ動作させトラッキング用コイルとトラッキング用マグネットを有するトラッキング用磁気回路と、上記可動ブロックを上記チルト方向へ動作させチルト用コイルとチルト用マグネットを有するチルト用磁気回路とを備え、上記レンズホルダーに、上記対物レンズを保持する本体部と該本体部から突出され上記可動ブロックに生じる振動を吸収する動吸振手段として機能する薄肉部とを設け、上記薄肉部に上記チルト用コイル又は上記チルト用マグネットを取り付けたことを特徴とする。
【００１９】
従って、粘弾性を有する接着剤を用いた従来の光ピックアップを有するディスクドライブ装置のように、高温下又は長期における使用や揮発物の発生による機能の低下を来たすことがなく、フォーカス動作及びトラッキング動作における良好なサーボ特性を確保することができる。
【発明を実施するための最良の形態】
【００２０】
以下に、本発明光ピックアップ及びディスクドライブ装置の最良の形態を添付図面を参照して説明する。
【００２１】
ディスクドライブ装置１は、外筐２内に所要の各部材及び各機構が配置されて成り（図１参照）、外筐２には図示しないディスク挿入口が形成されている。
【００２２】
外筐２内には図示しないシャーシが配置され、該シャーシに取り付けられたスピンドルモーターのモーター軸にディスクテーブル３が固定されている。
【００２３】
シャーシには、平行なガイド軸４、４が取り付けられると共に図示しない送りモーターによって回転されるリードスクリュー５が支持されている。
【００２４】
光ピックアップ６は、移動ベース７と該移動ベース７に設けられた所要の光学部品と移動ベース７上に配置された対物レンズ駆動装置８とを有し、移動ベース７の両端部に設けられた軸受部７ａ、７ｂがそれぞれガイド軸４、４に摺動自在に支持されている。
【００２５】
移動ベース７に設けられた図示しないナット部材がリードスクリュー５に螺合され、送りモーターによってリードスクリュー５が回転されると、ナット部材がリードスクリュー５の回転方向へ応じた方向へ送られ、光ピックアップ６がディスクテーブル３に装着されたディスク状記録媒体１００の半径方向（ラジアル方向）へ移動される。
【００２６】
対物レンズ駆動装置８は固定ブロック９と該固定ブロック９に対して動作される可動ブロック１０とを有し、移動ベース７に形成された配置凹部７ｃに配置されている（図１及び図２参照）。
【００２７】
固定ブロック９と可動ブロック１０はディスク状記録媒体１００の記録トラックの接線方向（タンジェンシャル方向）に離隔して配置されている。
【００２８】
固定ブロック９は移動ベース７に固定されている。固定ブロック９の後面には回路基板１１が取り付けられている。
【００２９】
可動ブロック１０はレンズホルダー１２に所要の各部が取り付けられて成る。
【００３０】
レンズホルダー１２は本体部１３と該本体部１３から突出された薄肉部１４、１４とが一体に形成されて成る（図３参照）。
【００３１】
本体部１３はレンズ取付部１３ａと該レンズ取付部１３ａの後面から後方へ左右に離隔した状態で突出された突出部１３ｂ、１３ｂと該突出部１３ｂ、１３ｂの後端部間を連結する連結部１３ｃとによって構成されている。従って、レンズホルダー１２には、レンズ取付部１３ａの後面と突出部１３ｂ、１３ｂの各内面と連結部１３ｃの前面とによって囲まれた配置用空間１５が形成されている。
【００３２】
本体部１３のレンズ取付部１３ａの上面には、対物レンズ１６、１７が取り付けられて保持されている。対物レンズ１６、１７は種類の異なるディスク状記録媒体１００、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるブルーレイディスク（Blu-ray Disc）等に対応して設けられている。
【００３３】
薄肉部１４、１４は本体部１３の連結部１３ｃにおける左右両端部からそれぞれ左方又は右方へ突出され、前後方向を向く略矩形の板状に形成されている。薄肉部１４、１４は、厚みが１ｍｍ以下、例えば、０．３ｍｍとされ、可動ブロック１０に発生する振動を吸収する動吸振手段として機能する。
【００３４】
レンズホルダー１２のレンズ取付部１３ａの後面にはフォーカス用コイル１８とトラッキング用コイル１９、１９が取り付けられている。フォーカス用コイル１８は配置空間１５に配置されており、トラッキング用コイル１９、１９はフォーカス用コイル１８を挟んだ左右両側にそれぞれ配置されている。
【００３５】
レンズホルダー１２の薄肉部１４、１４の後面にはそれぞれチルト用コイル２０、２０が取り付けられている。従って、チルト用コイル２０、２０はフォーカス用コイル１８とトラッキング用コイル１９、１９を挟んで対物レンズ１６、１７の反対側に位置されている。
【００３６】
レンズホルダー１２のレンズ取付部１３ａの左右両側面にはそれぞれ接続基板２１、２１が取り付けられている。接続基板２１、２１の図示しない接続端子にはそれぞれフォーカス用コイル１８、トラッキング用コイル１９、１９及びチルト用コイル２０、２０の各端部が接続されている。
【００３７】
固定ブロック９に取り付けられた回路基板１１と可動ブロック１０に取り付けられた接続基板２１、２１とにはそれぞれ三つずつの支持バネ２２、２２、・・・の各両端部が接続されている。従って、可動ブロック１０は支持バネ２２、２２、・・・によって固定ブロック９と連結されて中空に保持される。
【００３８】
支持バネ２２、２２、・・・は導電性金属材料によって、例えば、ワイヤー状に形成されている。対物レンズ駆動装置８にあっては、図示しない電源回路から回路基板１１、支持バネ２２、２２、・・・及び接続基板２１、２１を介してそれぞれフォーカス用コイル１８、トラッキング用コイル１９、１９及びチルト用コイル２０、２０に駆動電流が供給される。
【００３９】
移動ベース７の配置凹部７ａには磁性金属材料によって形成されたヨーク部材２３が配置されている。
【００４０】
ヨーク部材２３は上下方向を向く横長のベース部２３ａと該ベース部２３ａの前縁から上方へ突出された第１のヨーク部２３ｂとベース部２３ａの前縁から上方へ突出された第２のヨーク部２３ｃ、２３ｃとベース部２３ａの後縁から上方へ突出された第３のヨーク部２３ｄ、２３ｄとから成る。第２のヨーク部２３ｃ、２３ｃは第１のヨーク部２３ｂの左右両側に設けられ、第３のヨーク部２３ｄ、２３ｄは左右に離隔して設けられている。
【００４１】
第１のヨーク部２３ｂの前面にはフォーカス用マグネット２４が取り付けられ、第２のヨーク部２３ｃ、２３ｃの前面にはそれぞれトラッキング用マグネット２５、２５が取り付けられ、第３のヨーク部２３ｄ、２３ｄの前面にはそれぞれチルト用マグネット２６、２６が取り付けられ、第１のヨーク部２３ｂとフォーカス用マグネット２４は配置空間１５に下方から挿入される。
【００４２】
フォーカス用マグネット２４はフォーカス用コイル１８に対向して位置され、トラッキング用マグネット２５、２５はそれぞれトラッキング用コイル１９、１９に対向して位置され、チルト用マグネット２６、２６はそれぞれチルト用コイル２０、２０に対向して位置される。
【００４３】
フォーカス用コイル１８とフォーカス用マグネット２４と第１のヨーク部２３ｂによってフォーカス用磁気回路２７が構成され、トラッキング用コイル１９、１９とトラッキング用マグネット２５、２５と第２のヨーク部２３ｃ、２３ｃによってトラッキング用磁気回路２８が構成され、チルト用コイル２０、２０とチルト用マグネット２６、２６と第３のヨーク部２３ｄ、２３ｄによってチルト用磁気回路２９が構成される。
【００４４】
図示しない電源回路からフォーカス用コイル１８、トラッキング用コイル１９、１９又はチルト用コイル２０、２０に駆動電流が供給されると、これらの駆動電流の向きとフォーカス用マグネット２４、トラッキング用マグネット２５、２５又はチルト用マグネット２６、２６により発生する磁束の方向とに応じた向きの力が発生し、可動ブロック１０がフォーカス方向、トラッキング方向又はチルト方向へ動作される。
【００４５】
フォーカス方向はディスク状記録媒体１００に離接する方向（図２に示すＦ方向）、即ち、上下方向であり、トラッキング方向はディスク状記録媒体１００の半径方向（図２に示すＴＲ方向）、即ち、左右方向であり、チルト方向はフォーカス方向及びトラッキング方向にともに直交する方向（タンジェンシャル方向）に延びる軸の軸回り方向（図２に示すＴＩ方向）である。
【００４６】
可動ブロック１０がフォーカス方向、トラッキング方向又はチルト方向へ動作されるときには、支持バネ２２、２２、・・・が弾性変形される。
【００４７】
以上のようにして構成されたディスクドライブ装置１において、スピンドルモーターの回転に伴ってディスクテーブル３が回転されると、該ディスクテーブル３に装着されたディスク状記録媒体１００が回転され、同時に、光ピックアップ６がディスク状記録媒体１００の半径方向へ移動されて該ディスク状記録媒体１００に対する記録動作又は再生動作が行われる。
【００４８】
この記録動作及び再生動作において、フォーカス用コイル１８に駆動電流が供給されると、上記したように、対物レンズ駆動装置８の可動ブロック１０が固定ブロック９に対して図２に示すフォーカス方向Ｆ−Ｆへ動作され、対物レンズ１６、１７を介して照射されるレーザー光のスポットがディスク状記録媒体１００の記録面に集光するようにフォーカス調整が行われる。
【００４９】
また、トラッキング用コイル１９、１９に駆動電流が供給されると、上記したように、対物レンズ駆動装置８の可動ブロック１０が固定ブロック９に対して図２に示すトラッキング方向ＴＲ−ＴＲへ動作され、対物レンズ１６、１７を介して照射されるレーザー光のスポットがディスク状記録媒体１００の記録トラック上に集光するようにトラッキング調整が行われる。
【００５０】
さらに、チルト用コイル２０、２０に駆動電流が供給されると、上記したように、対物レンズ駆動装置８の可動ブロック１０が固定ブロック９に対して図２に示すチルト方向ＴＩ−ＴＩへ動作され、対物レンズ１６、１７を介して照射されるレーザー光の光軸がディスク状記録媒体１００の記録面に垂直となるようにチルト調整が行われる。
【００５１】
光ピックアップ６にあっては、フォーカス動作及びトラッキング動作において可動ブロック１０に振動が発生するが、このとき動吸振手段として設けられた薄肉部１４、１４に取り付けられたチルト用コイル２０、２０がウエイトとして機能し薄肉部１４、１４がダンパーとして機能する。即ち、フォーカス動作及びトラッキング動作時に本体部１３に発生する振動に対して、薄肉部１４、１４が有する固有の弾性係数や重量に基づいて異なる周期で薄肉部１４、１４に振動が発生する。従って、フォーカス動作及びトラッキング動作において、サーボ特性を悪化させる共振周波数の共振ピークが低減され、フォーカスサーボ及びトラッキングサーボの良好なサーボ特性を確保することができる。
【００５２】
図４は、フォーカス動作及びトラッキング動作時における周波数特性を示すグラフ図であり、実線が光ピックアップ６における周波数特性を示し、破線が図５に示した従来の光ピックアップにおける周波数特性を示している。図４に示すように、光ピックアップ６においては、共振周波数の共振ピークが特定の二つの周波数領域において発生し（共振ピークＰ１、Ｐ２）、双方の共振ピークＰ１、Ｐ２とも従来の共振ピークＰより低減されている。
【００５３】
以上に記載した通り、光ピックアップ６にあっては、レンズホルダー１２の一部として設けられた薄肉部１４、１４を動吸振手段として機能させているため、粘弾性を有する接着剤を用いた従来の光ピックアップのように、高温下又は長期における使用や揮発物の発生による機能の低下を来たすことがなく、フォーカス動作及びトラッキング動作における良好なサーボ特性を確保することができる。
【００５４】
このように光ピックアップ６にあっては、共振ピークを低減することができるため、フォーカス動作及びトラッキング動作において可動ブロック１０の動作が高周波の振動に追従可能であり、ゲインの高いサーボ動作を行うことができ、高倍速化に対応することができる。
【００５５】
尚、光ピックアップ６にあっては、薄肉部１４、１４にチルト用コイル２０、２０が取り付けられているため、チルト動作時において、チルト用コイル２０、２０から対物レンズ１６、１７までの伝達特性が悪化する。しかしながら、フォーカス動作及びトラッキング動作はフィードバック回路を用いたサーボ動作を行うため動作の信頼性の向上のために共振ピークの低減が必要とされるが、チルト動作においてはサーボ動作ではなく目標値に応じたフィードフォワード動作が行われるため、伝達特性の悪化による対物レンズ駆動装置８の性能の劣化を生じることがない。
【００５６】
また、光ピックアップ６にあっては、チルト用コイル２０、２０と対物レンズ１６、１７がフォーカス用コイル１８とトラッキング用コイル１９、１９を挟んだ反対側に位置されているため、チルト用コイル２０、２０が対物レンズ１６、１７に対して遠方に位置されており、チルト用コイル２０、２０に発生する振動が対物レンズ１６、１７に伝達され難く、対物レンズ１６、１７における振動の発生を抑制することができる。
【００５７】
尚、上記には、フォーカス用コイル１８、トラッキング用コイル１９、１９及びチルト用コイル２０、２０がレンズホルダー１２に取り付けられた所謂ムービングコイル型の対物レンズ駆動装置８を例として示したが、逆に、フォーカス用マグネット２４、トラッキング用マグネット２５、２５及びチルト用マグネット２６、２６がレンズホルダー１２に取り付けられた所謂ムービングマグネット型の対物レンズ駆動装置とすることも可能である。
【００５８】
また、上記には、フォーカス用コイル、トラッキング用コイル、チルト用コイル、フォーカス用マグネット、トラッキング用マグネット及びチルト用マグネットを一つ又は二つ有する対物レンズ駆動装置８を例として示したが、これらのコイルやマグネットの数は一つ又は二つに限られることはなく、コイルやマグネットの数は本発明の適用において任意である。
【００５９】
さらに、上記には、動吸振手段として機能する薄肉部１４、１４を二つ設けた例を示したが、薄肉部の数も二つに限られることはなく、本発明の適用において任意の数とすることができる。
【００６０】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００６１】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００６２】
【図１】図２乃至図４と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】可動ブロックの拡大斜視図である。
【図４】周波数特性を示すグラフ図である。
【図５】従来の光ピックアップにおける周波数特性を示すグラフ図である。
【符号の説明】
【００６３】
１…ディスクドライブ装置、３…ディスクテーブル、６…光ピックアップ、７…移動ベース、８…対物レンズ駆動装置、９…固定ブロック、１０…可動ブロック、１１…回路基板、１２…レンズホルダー、１３…本体部、１４…薄肉部、１６…対物レンズ、１７…対物レンズ、１８…フォーカス用コイル、１９…トラッキング用コイル、２０…チルト用コイル、２２…支持バネ、２４…フォーカス用マグネット、２５…トラッキング用マグネット、２６…チルト用マグネット、２７…フォーカス用磁気回路、２８…トラッキング用磁気回路、２９…チルト用磁気回路、１００…ディスク状記録媒体
【図１】
2009070504.tif 000003
【図２】
2009070504.tif 000004
【図３】
2009070504.tif 000005
【図４】
2009070504.tif 000006
【図５】
2009070504.tif 000007